(57)【要約】 【課題】  簡易な構成の電話会議システムの提供を図る。【解決手段】  携帯電話機１２に、携帯電話機能部２１と、加算機能部２３と、同報機能部２５と、エコーキャンセラ機能部２７と、マスタユニット機能部２８と、ブルートゥースインタフェース２９とを設け、この携帯電話機１２と複数のマイク付きハンドセット＃１乃至＃８とをブルートゥース規格の無線通信回線で接続し、携帯電話機１２が接続される電話通信網の遠隔加入者の電話端末装置及び又は携帯電話機１２とマイク付きハンドセット＃１乃至＃８との間で電話会議を行う。【選択図】      図１
2006270352.tif 000002
【特許請求の範囲】
【請求項１】
相手装置が接続される移動体通信網に近距離無線通信機能を備えた主端末装置を接続し、
前記主端末装置と近距離無線通信機能を備えた副端末装置とを近距離無線通信回線を介して接続し、
前記副端末装置から前記近距離無線通信回線を介して通話信号を受信し、
受信した前記通話信号を前記移動体通信網に接続される前記相手装置及び又は前記主端末装置の受話手段に送信する一方、
前記副端末装置から受信される前記通話信号と前記相手装置からの通話信号とを前記主端末装置で重ね合わせて出力し、
出力された信号を前記副端末装置に送信することを特徴とする電話会議方法。
【請求項２】
前記主端末装置は、ブルートゥース機能を有する携帯通信端末装置であることを特徴とする請求項１記載の電話会議方法。
【請求項３】
前記携帯通信端末装置は、ブルートゥース機能を有する携帯電話装置であることを特徴とする請求項２記載の電話会議方法。
【請求項４】
前記副端末装置は、ブルートゥース機能を有する端末装置であることを特徴とする請求項１、２又は３記載の電話会議方法。
【請求項５】
前記端末装置は、ブルートゥース機能を有するマイク付きヘッドセットであることを特徴とする請求項４記載の電話会議方法。
【請求項６】
前記近距離無線通信回線は、ブルートゥース規格で構成される無線通信回線であることを特徴とする請求項１乃至５のいずれか一に記載の電話会議方法。
【請求項７】
移動体通信網に接続される相手装置及び又は前記移動体通信網に接続される近距離無線通信機能を有する主端末装置と近距離無線通信機能を有する副端末装置との間で電話会議を行う電話会議システムであって、
前記主端末装置と前記副端末装置とは近距離無線通信回線で接続可能に構成され、
前記主端末装置は、
前記副端末装置から前記近距離無線通信回線を介して通話信号を受信する第１の受信手段と、
第１の前記受信手段の出力信号を前記相手装置及び又は前記主端末装置の受話手段へ送信する第１の送信手段と、
前記移動体通信網に接続され、通話信号を受信する第２の受信手段と、
第１の前記受信手段で受信される前記通話信号と第２の前記受信手段で受信される通話信号とを混合する第１の混合手段と、
第１の前記混合手段の出力信号を前記近距離無線通信回線を介して前記副端末装置へ送信する第２の送信手段とで構成されることを特徴とする電話会議システム。
【請求項８】
前記副端末装置は複数であり、第１の前記受信手段は、複数の前記副端末装置からの通話信号を受信可能に構成されると共に、受信される前記通話信号の各々を混合する第２の混合手段を含み、第１の前記混合手段は、複数の前記副端末装置のうちの任意の前記副端末装置毎に、第２の前記混合手段で混合される任意の前記副端末装置以外の副端末装置からの前記通話信号の各々と第２の受信手段で受信される通話信号とを混合するように構成されることを特徴とする請求項７記載の電話会議システム。
【請求項９】
第１の前記受信手段は、前記副端末装置から受信される通信信号毎に前記副端末装置を識別する識別情報を付加した第１の信号に変換する信号インタフェースと、該信号インタフェースから出力される第１の前記信号の前記識別情報に基づいて前記副端末装置別の通話信号を出力する第１の出力手段とを含んで構成されることを特徴とする請求項８記載の電話会議システム。
【請求項１０】
第２の前記送信手段は、前記端末毎に第１の前記混合手段の出力信号から第１の前記出力手段の前記端末対応の通話信号を差し引く減算手段を有して構成されることを特徴とする請求項８記載の電話会議システム。
【請求項１１】
第２の前記送信手段は、前記遠近混合手段の出力信号毎に前記端末を識別する識別情報を付加した第１の前記信号を出力する第２の出力手段と、第２の前記出力手段から出力される第１の前記信号を前記通信信号に変換する第２の信号インタフェースとを含んで構成されることを特徴とする請求項７、８、９又は１０記載の電話会議システム。
【請求項１２】
前記主端末装置は、ブルートゥース機能を有する携帯通信端末装置であることを特徴とする請求項７乃至１１のいずれか一に記載の電話会議システム。
【請求項１３】
前記携帯通信端末装置は、ブルートゥース機能を備える携帯電話装置であることを特徴とする請求項１２記載の電話会議システム。
【請求項１４】
前記副端末装置は、ブルートゥース機能を有する端末装置であることを特徴とする請求項７乃至１３のいずれか一に記載の電話会議システム。
【請求項１５】
前記端末装置は、ブルートゥース機能を有するマイク付きヘッドセットであることを特徴とする請求項１４記載の電話会議システム。
【請求項１６】
前記近距離無線通信回線は、ブルートゥース規格で構成される無線通信回線であることを特徴とする請求項７乃至１５のいずれか一に記載の電話会議システム。
【請求項１７】
複数の近距離無線通信機能を有する副端末装置から近距離無線通信回線を介して通話信号を受信する第１の受信手段と、
受話手段と、
第１の前記受信手段で受信される前記通話信号の各々を混合する第２の混合手段と、
第２の前記混合手段の出力信号を移動体通信網の通信端末装置及び又は前記受話手段へ送信する第１の送信手段と、
前記移動体通信網に接続され、通話信号を受信する第２の受信手段と、
複数の前記端末のうちの任意の前記端末毎に、第１の前記混合手段で混合される任意の前記端末以外の前記端末からの前記通話信号の各々と第２の前記受信手段で受信される前記通話信号とを混合する第１の混合手段と、
第１の前記混合手段の出力信号を前記近距離無線通信回線を介して対応する前記端末へ送信する第２の送信手段とを備えることを特徴とする近距離無線通信機能付き携帯通信端末装置。
【請求項１８】
前記近距離無線通信回線は、ブルートゥース規格で構成され、音声信号を含むブルートゥース信号を伝送する無線通信回線であり、第１の前記受信手段及び第２の前記送信手段は、ブルートゥースインタフェースを有して構成されることを特徴とする請求項１７記載の近距離無線通信機能付き携帯通信端末装置。
【発明の詳細な説明】
【技術分野】
【０００１】
この発明は、電話会議方法及びそのシステム並びにそのための近距離無線通信機能付き携帯通信端末装置に関し、詳しくは１つの携帯電話機等を介して移動体通信網の通信端末装置と複数のマイク付きヘッドセット等との間で電話会議を行う電話会議方法及びそのシステム並びにそのための近距離無線通信機能付き携帯通信端末装置に関する。
【背景技術】
【０００２】
従来においても、電話通信網に接続される複数の電話端末装置間で電話会議を行うことのできる電話会議システムが電話通信網内に構築されている。
その電話会議システム（以下、従来の電話会議システムという）は、固定電話機を固定電話回線を介して電話会議システムに接続するか、携帯電話機又はＰＨＳを電話会議システムの基地局に無線回線を介して接続して電話会議を行なおうとするものである。
【０００３】
また、特許文献１には、携帯電話機とセルラ通話の通話先端末と他の携帯電話機との間で三者通話を可能にするための携帯電話機が開示されている。
この携帯電話機は、外線通話（セルラ通話）又は他の携帯電話機との間のデータ通信通話の状態において、自己の携帯電話機に装備のＩＤキーの押下で通話中の相手の通話状態は保留状態に置かれる。
【０００４】
そして、三者通話に加える相手のＩＤ情報を指定して当該相手を呼び出す。その相手の応答がない場合には、フックキーを押下して元の通話状態に戻す。相手の応答があり、その相手が三者通話に加わりたくない場合には、元の通話状態に戻り、加わりたい場合には、その相手を含めた三者通話が開始できるように構成されている。
ここでの新たに通話に参加する携帯電話機と既に通話中の携帯電話機との間の通話回線は、ブルートゥース規格の通話回線である。
【０００５】
また、特許文献２にも、３者通話を可能にする通信システムが開示されている。
この通信システムは、携帯通信機を移動体無線システムを介して相手の通信機に接続すると共に、携帯通信機にブルートゥース規格の無線通信回線を介して端末機を接続し、携帯通信機と、相手の通信機と、端末機との間で３者通話が行えるようにして構成されるシステムである。
【特許文献１】特開２００３−０９２７８５号公報
【特許文献２】特開２００２−２５２８７４号公報
【発明の開示】
【発明が解決しようとする課題】
【０００６】
上述した従来の電話会議システムは、固定電話機を固定電話回線を介して電話会議システムに接続するか、携帯電話機又はＰＨＳを電話会議システムの基地局に無線回線を介して接続して電話会議を行なおうとするものであるから、電話通信網に構築済みの専用の電話会議システムを使用しなければ電話会議を行うことができないという大きな拘束がある。
【０００７】
また、特許文献１の携帯電話機は、その携帯電話機とセルラ通話の通話先端末と他の携帯電話機との間で三者通話を可能にするが、セルラ通話先と複数の携帯電話機との間でしか、三者通話を行い得ないという技術的制限がある。
【０００８】
また、特許文献２の通信システムは、携帯通信機と、相手の通信機と、端末機との間で３者通話が行えるようにして構成されているだけであるから、携帯通信機と端末機との間をブルートゥース規格の無線通信回線で接続しているものの、依然３者通話の域をでない技術であり、また、端末機を複数とする場合への開示に足りる記載はない。
【０００９】
この発明は、上述の事情に鑑みてなされたもので、携帯電話装置を移動体通信網に構築済みの専用の電話会議システムに接続することなく、移動体通信網に接続される通信端末装置と複数の近距離無線通信機能付き端末装置との間での電話会議を１つの近距離無線通信機能付き携帯通信端末装置を介して行い得るようにする電話会議方法及びそのシステム並びにそのための近距離無線通信機能付き携帯通信端末装置を提供することを目的としている。
【課題を解決するための手段】
【００１０】
上記課題を解決するために、請求項１記載の発明は、相手装置が接続される移動体通信網に近距離無線通信機能を備えた主端末装置を接続し、上記主端末装置と近距離無線通信機能を備えた副端末装置とを近距離無線通信回線を介して接続し、上記副端末装置から上記近距離無線通信回線を介して通話信号を受信し、受信した上記通話信号を上記移動体通信網に接続される上記相手装置及び又は上記主端末装置の受話手段に送信する一方、上記副端末装置から受信される上記通話信号と上記相手装置からの通話信号とを上記主端末装置で重ね合わせて出力し、出力された信号を上記副端末装置に送信することを特徴としている。
【００１１】
請求項２記載の発明は、請求項１記載の電話会議方法に係り、上記主端末装置は、ブルートゥース機能を有する携帯通信端末装置であることを特徴としている。
【００１２】
請求項３記載の発明は、請求項２記載の電話会議方法に係り、上記携帯通信端末装置は、ブルートゥース機能を有する携帯電話装置であることを特徴としている。
【００１３】
請求項４記載の発明は、請求項１、２又は３記載の電話会議方法に係り、上記副端末装置は、ブルートゥース機能を有する端末装置であることを特徴としている。
【００１４】
請求項５記載の発明は、請求項４記載の電話会議方法に係り、上記端末装置は、ブルートゥース機能を有するマイク付きヘッドセットであることを特徴としている。
【００１５】
請求項６記載の発明は、請求項１乃至５のいずれか一に記載の電話会議方法に係り、上記近距離無線通信回線は、ブルートゥース規格で構成される無線通信回線であることを特徴としている。
【００１６】
請求項７記載の発明は、移動体通信網に接続される相手装置及び又は上記移動体通信網に接続される近距離無線通信機能を有する主端末装置と近距離無線通信機能を有する副端末装置との間で電話会議を行う電話会議システムに係り、上記主端末装置と上記副端末装置とは近距離無線通信回線で接続可能に構成され、上記主端末装置は、上記副端末装置から上記近距離無線通信回線を介して通話信号を受信する第１の受信手段と、第１の上記受信手段の出力信号を上記相手装置及び又は上記主端末装置の受話手段へ送信する第１の送信手段と、上記移動体通信網に接続され、通話信号を受信する第２の受信手段と、第１の上記受信手段で受信される上記通話信号と第２の上記受信手段で受信される通話信号とを混合する第１の混合手段と、第１の上記混合手段の出力信号を上記近距離無線通信回線を介して上記副端末装置へ送信する第２の送信手段とで構成されることを特徴としている。
【００１７】
請求項８記載の発明は、請求項７記載の電話会議システムに係り、上記副端末装置は複数であり、第１の上記受信手段は、複数の上記副端末装置からの通話信号を受信可能に構成されると共に、受信される上記通話信号の各々を混合する第２の混合手段を含み、第１の上記混合手段は、複数の上記副端末装置のうちの任意の上記副端末装置毎に、第２の上記混合手段で混合される任意の上記副端末装置以外の副端末装置からの上記通話信号の各々と第２の受信手段で受信される通話信号とを混合するように構成されることを特徴としている。
【００１８】
請求項９記載の発明は、請求項８記載の電話会議システムに係り、第１の上記受信手段は、上記副端末装置から受信される通信信号毎に上記副端末装置を識別する識別情報を付加した第１の信号に変換する信号インタフェースと、該信号インタフェースから出力される第１の上記信号の上記識別情報に基づいて上記副端末装置別の通話信号を出力する第１の出力手段とを含んで構成されることを特徴としている。
【００１９】
請求項１０記載の発明は、請求項８記載の電話会議システムに係り、第２の上記送信手段は、上記端末毎に第１の上記混合手段の出力信号から第１の上記出力手段の上記端末対応の通話信号を差し引く減算手段を有して構成されることを特徴としている。
【００２０】
請求項１１記載の発明は、請求項７、８、９又は１０記載の電話会議システムに係り、第２の上記送信手段は、上記遠近混合手段の出力信号毎に上記端末を識別する識別情報を付加した第１の上記信号を出力する第２の出力手段と、第２の上記出力手段から出力される第１の上記信号を上記通信信号に変換する第２の信号インタフェースとを含んで構成されることを特徴としている。
【００２１】
請求項１２記載の発明は、請求項７乃至１１のいずれか一に記載の電話会議システムに係り、上記主端末装置は、ブルートゥース機能を有する携帯通信端末装置であることを特徴としている。
【００２２】
請求項１３記載の発明は、請求項１２記載の電話会議システムに係り、上記携帯通信端末装置は、ブルートゥース機能を備える携帯電話装置であることを特徴としている。
【００２３】
請求項１４記載の発明は、請求項７乃至１３のいずれか一に記載の電話会議システムに係り、上記副端末装置は、ブルートゥース機能を有する端末装置であることを特徴としている。
【００２４】
請求項１５記載の発明は、請求項１４記載の電話会議システムに係り、上記端末装置は、ブルートゥース機能を有するマイク付きヘッドセットであることを特徴としている。
【００２５】
請求項１６記載の発明は、請求項７乃至１５のいずれか一に記載の電話会議システムに係り、上記近距離無線通信回線は、ブルートゥース規格で構成される無線通信回線であることを特徴としている。
【００２６】
請求項１７記載の発明は、近距離無線通信機能付き携帯通信端末装置に係り、複数の近距離無線通信機能を有する副端末装置から近距離無線通信回線を介して通話信号を受信する第１の受信手段と、受話手段と、第１の上記受信手段で受信される上記通話信号の各々を混合する第２の混合手段と、第２の上記混合手段の出力信号を移動体通信網の通信端末装置及び又は上記受話手段へ送信する第１の送信手段と、上記移動体通信網に接続され、通話信号を受信する第２の受信手段と、複数の上記端末のうちの任意の上記端末毎に、第１の上記混合手段で混合される任意の上記端末以外の上記端末からの上記通話信号の各々と第２の上記受信手段で受信される上記通話信号とを混合する第１の混合手段と、第１の上記混合手段の出力信号を上記近距離無線通信回線を介して対応する上記端末へ送信する第２の送信手段とを備えることを特徴としている。
【００２７】
請求項１８記載の発明は、請求項１７記載の近距離無線通信機能付き携帯通信端末装置に係り、上記近距離無線通信回線は、ブルートゥース規格で構成され、音声信号を含むブルートゥース信号を伝送する無線通信回線であり、第１の上記受信手段及び第２の上記送信手段は、ブルートゥースインタフェースを有して構成されることを特徴としている。
【発明の効果】
【００２８】
この発明によれば、移動体通信網に接続される相手装置と近距離無線通信機能付き副端末装置とが近距離無線通信機能付き主端末装置を介して接続され、相手装置及び又は近距離無線通信機能付き主端末装置と近距離無線通信機能付き副端末装置との間で通話信号を送受信することができるから、既存の電話会議システムを用いることなく、遠方加入者の装置と各近距離無線通信機能付き副端末装置との間に近距離無線通信機能付き主端末装置を介しての電話会議システムを比較的簡易に構築することができる。
【発明を実施するための最良の形態】
【００２９】
この発明は、移動体通信網に接続される相手装置と近距離無線通信付き副端末装置とを近距離無線通信機能付き主端末装置を介して接続し、相手装置及び又は近距離無線通信機能付き主端末装置と近距離無線通信機能付き副端末装置との間で通話信号を送受信させるようにして構成される。
【実施例】
【００３０】
図１は、この発明の実施例である電話会議システムの電気的構成を示す図、図２は、同電話会議システムを構成する加算機能部の構成を示す図、図３は、同電話会議システムを構成する同報機能部の構成を示す図、図４は、同電話会議システムを構成するエコーキャンセラ機能部の構成を示す図である。
この実施例の電話会議システム１は、移動体通信網に接続さける通信端末装置及び又は１つのブルートゥース機能付き携帯電話機（近距離無線通信機能付き主端末装置、以下、単に携帯電話装置という）と複数のマイク付きハンドセット（近距離無線通信機能付き副端末装置）との間で１つの携帯電話装置を介して電話会議が行なえるようにしたシステムに係り、図１に示すように、携帯電話装置１２と、複数のマイク付きヘッドセット＃１乃至＃８とから概略構成されている。
携帯電話装置１２は、携帯電話機能部２１と、加算機能部２３と、同報機能部２５と、エコーキャンセラ機能部２７と、マスタユニット機能部２８と、ブルートゥースインタフェース２９とから構成される。
【００３１】
携帯電話機能部２１は、移動体通信網との間で通話信号を送受信する通常の携帯電話機能を有する機能部である。
加算機能部２３は、エコーキャンセラ機能部２７から出力されるマスタ付きヘッドセット＃１乃至＃８の通話信号（音声信号）を重ね合わせる機能を行う機能部である。
この加算機能部２３は、図２に示すように、エコーキャンセラ機能部の送信出力＃１ＯＳ乃至＃ＩＳ（マイク付きハンドセット対応の出力）の通話信号を混合する（重ね合わせる）加算部２４で構成され、加算部２４から出力される出力信号は、携帯電話機能部２１及び同報機能部２５に供給される。
【００３２】
同報機能部２５は、加算機能部２３の出力信号と携帯電話機能部２１の出力信号とを重ね合わせ、その信号をエコーキャンセラ機能部２７に出力する機能部である。
この同報機能部２５は、図３に示すように、加算機能部２３から出力される重ね合わされた通話信号と、携帯電話機能部２１から出力される通話信号とを重ね合わせる加算部２６で構成され、加算部２６から出力される出力信号は、エコーキャンセラ機能部２７の受信入力＃１ＩＲ乃至＃８ＩＲ（マイク付きヘッドセット対応の入力）に供給される。
【００３３】
エコーキャンセラ機能部２７は、マイク付きヘッドセット＃１乃至＃８毎の通話信号の戻りを抑圧する機能を行う機能部である。
このエコーキャンセラ機能部２７は、図４に示すように、同報機能部２５からの受信入力＃１ＩＲ乃至＃８ＩＲで受信される通話信号からマスタユニット機能部２８からの送信入力＃１ＩＳ乃至＃８ＩＳで受信される通話信号を、マイク付きヘッドセット＃１乃至＃８対応に、差し引く減算部＃１Ｓ乃至＃８Ｓから構成されている。減算部２７Ａの受信出力＃１ＯＲ乃至＃８ＯＲの出力信号は、マスタユニット機能部２８のマイク付きハンドセット対応の入力に供給される。
【００３４】
マスタユニット機能部２８は、ブルートゥースインタフェース２９から受信されるマスタ付きヘッドセット＃１乃至＃８毎のデータ信号に含まれるヘッドセット識別情報から対応するマスタ付きヘッドセットを識別して音声信号を対応するエコーキャンセラ機能部の対応する送信入力＃１ＩＳ乃至＃８ＩＳに送出する機能を有すると共に、エコーキャンセラ機能部２７の受信出力＃ＩＯＲ乃至＃８ＯＲに出力される音声信号（混合されている音声信号）にマスタ付きヘッドセットを識別する識別情報を付加してデータ信号をブルートゥースインタフェース２９に送出する機能を有する機能部である。
【００３５】
ブルートゥースインタフェース２９は、マイク付きヘッドセット＃１乃至＃８から受信されるブルートゥース信号をヘッドセット識別情報付加のデータ信号に変換してマスタユニット機能部２８に送出する機能を有すると共に、マスタユニット機能部２８から受け取るヘッドセット識別情報付加のデータ信号をブルートゥース信号に変換して対応するマイク付きヘッドセットに送信する機能を有するものである。
【００３６】
いずれのマイク付きヘッドセット＃１乃至＃８も、マイクからの音声信号を含むブルートゥース信号を近距離無線通信回線を介してブルートゥースインタフェース２９へ送信する送信部と、ブルートゥースインタフェース２９から近距離無線通信回線を介して受信するブルートゥース信号に含まれる音声信号を受信してイヤホンに送信する受信部とを有して構成させる。
【００３７】
次に、図１乃至図４を参照して、この実施例の動作について説明する。
この実施例での電話会議を開始するのに先立って、複数のマイク付きヘッドセット＃１乃至＃８を近距離無線通信回線を介して携帯電話装置１２に接続する一方、その携帯電話装置１２を移動体通信網の電話回線を介して遠方加入者の電話機と接続して遠方加入者の電話機及び又は携帯電話装置１２と複数のマイク付きヘッドセット＃１乃至＃８との通信回線を開設する。
上記の複数のマイク付きヘッドセット＃１乃至＃８の一部又は全部と携帯電話装置１２との接続は、従来公知のマスタスレーブ形式での接続手順で行われ、また、携帯電話装置１２と遠方加入者の電話機との接続も従来公知の接続手順で行われる。
【００３８】
こうして通話が可能になると、遠方加入者乃至マイク付きヘッドセット＃１乃至＃８の使用者のいずれかから電話会議の開始が開始される。
例えば、遠方加入者が会話を開始したとき、使用者はいずれも会話をしない状態にあるとすると、マイク付きヘッドセット＃１乃至＃８からブルートゥースインタフェース２９へ送信されるブルートゥース信号には音声信号は含まれず、したがって、マスタユニット機能部２８、エコーキャンセラ機能部２７、そして加算機能部２３へは音声信号は送られず、加算機能部２３からは重ね合わされた音声信号の出力はないが、携帯電話機能部２１から遠方加入者からの音声信号が出力され、この音声信号が同報機能部２５に入力される。
【００３９】
同報機能部２５は、入力された音声信号、すなわち、遠方加入者の音声信号をエコーキャンセラ機能部２７の受信入力＃１ＩＲ乃至＃８ＩＲへ分配、すなわち、配信してマイク付きヘッドセット＃１乃至＃８へ同報するための信号を作り出す。
エコーキャンセラ機能部２７は、上記電話会議状態ではマイク付きヘッドセット側のいずれからも音声信号が来ておらず、当該音声信号の戻りを抑圧する必要はなく、したがって、遠方加入者の音声信号は、エコーキャンセラ機能部２７を素通りして、すなわち、受信出力＃１ＯＲ乃至＃８ＯＲへ出力され、そしてマスタユニット機能部２８のマイク付きヘッドセット＃１乃至＃８対応の入力へ供給される。
【００４０】
マスタユニット機能部２７は、マイク付きヘッドセット＃１乃至＃８対応の識別情報を付加したデータ信号をマイク付きヘッドセット＃１乃至＃８別に生成し、そのデータ信号をブルートゥースインタフェース２９へ供給する。
ブルートゥースインタフェース２９は、マイク付きヘッドセット＃１乃至＃８別に受信するデータ信号をブルートゥース信号に変換し、それぞれのブルートゥース信号を近距離無線通信回線を介してマイク付きヘッドセット＃１乃至＃８へ送信する。
かくして、遠方加入者が発している音声信号は、マイク付きヘッドセット＃１乃至＃８の使用者によって聴取され電話会議が進められる。
【００４１】
こうして開始された電話会議の最中に、マイク付きヘッドセット＃１乃至＃８のいずれかの使用者が発言すると、その音声信号は、当該マイク付きヘッドセットの送信部においてブルートゥース信号に乗せられてブルートゥースインタフェース２９で受信される。
ブルートゥースインタフェース２９は、マイク付きヘッドセット＃１乃至＃８別のブルートゥース信号を対応するデータ信号に変換してそのデータ信号をマスタユニット機能部２８に供給する。
【００４２】
マスタユニット機能部２８は、データ信号の中のマイク付きヘッドセット＃１乃至＃８を識別するハンドセット識別情報に基づいてマイク付きヘッドセット＃１乃至＃８の各々を識別し、ハンドセット識別情報対応に音声信号をエコーキャンセラ機能部２７の送信入力＃１ＩＳ乃至＃８ＩＳへ出力する。これら送信入力＃１ＩＳ乃至＃８ＩＳへ供給される音声信号は、上述した発言した使用者対応の送信入力のみであり、それ以外の使用者対応の送信入力には音声信号は供給されない。
【００４３】
エコーキャンセラ機能部２７の送信入力＃１ＩＳ乃至＃８ＩＳに入力された信号は、そのまま加算機能部２３に供給されて重ね合わされて携帯電話機能部２１へ出力されると共に、同報機能部２５へ出力される。
携帯電話機能部２１は、一般に公知の技法により、携帯電話装置１が移動体通信網を介して接続されている遠方加入者へ重ね合わされている音声信号を送信する。
【００４４】
同報機能部２５は、この時点では、上述したようにマイク付きヘッドセット＃１乃至＃８からの各音声信号を重ね合わせた音声信号と携帯電話機能部２１からの音声信号とを重ね合わせてエコーキャンセラ機能部２７の受信入力＃１ＩＲ乃至＃８ＩＲへ供給する。エコーキャンセラ機能部２７の受信入力＃１ＩＲ乃至＃８ＩＲへ供給される信号は、上記発言した使用者が使用しているマイク付きヘッドセットからの音声信号と携帯電話機能部２１からの音声信号とを重ね合わせた信号である。
【００４５】
したがって、エコーキャンセラ機能部２７の受信出力＃１ＯＲ乃至＃８ＯＲに出力される信号は、上記発言した使用者対応の受信出力については携帯電話機能部２１からの音声信号のみとなり、上記発言した使用者以外の使用者対応の受信出力については携帯電話機能部２１からの音声信号と上記発言した使用者が使用しているマイク付きヘッドセットからの音声信号とを重ね合わせた信号となる。
【００４６】
エコーキャンセラ機能部２７の受信出力＃１ＯＲ乃至＃８ＯＲに出力される信号を受け取るマスタユニット機能部２８は、上述したように各マイク付きヘッドセット対応の入力に供給される信号、すなわち、音声信号にマイク付きヘッドセットを識別するハンドセット識別情報を付加してなるデータ信号を生成してそれらマイク付きヘッドセット対応のデータ信号をブルートゥースインタフェース２９へマイク付きヘッドセット別に出力する。
ブルートゥースインタフェース２９は、マイク付きヘッドセット別のデータ信号をブルートゥース信号に変換し、マイク付きヘッドセット対応の近距離無線通信回線を介して対応マイク付きヘッドセットへ送信する。
【００４７】
このようにして、遠方加入者は、上記発言した使用者の音声を聴取し、また、各マイク付きヘッドセット＃１乃至＃８の使用者のうちの発言した使用者以外の使用者は、遠方加入者の音声と発言した使用者の音声とを聴取する一方、発言した使用者は、遠方加入者の音声を聴取する。
【００４８】
上記において、遠方加入者の発言の終了後に、ただ一人の使用者の発言があったときには、発言した使用者以外の使用者は、発言した使用者の音声のみを聴取する。
上述の遠方加入者の発言中に、二人以上の使用者による発言があった場合には、遠方加入者は、それらの使用者の音声が混じりあった音声を聴取し、また、発言していない使用者は、遠方加入者と発言している各使用者の音声とが混じりあった音声を聴取する。
この場合の発言に入った使用者は、遠方加入者と発言している他の使用者の音声とが混じりあった音声を聴取する。
【００４９】
このようにして、遠方加入者及び各使用者が順次乃至は同時的に発言をし、その発言に係る音声信号は、ブルートゥース機能付き携帯電話装置を介して遠方加入者の電話端末装置とブルートゥース機能を有したマイク付きヘッドセットとの間で送受信される。その送受信される音声信号は、会議に参加している遠方加入者と、ブルートゥース機能付き携帯電話装置の使用者と、各マイク付きヘッドセットの使用者とによって聴取される。
【００５０】
このように、この実施例の構成によれば、遠方加入者の電話端末装置と各マイク付きヘッドセットとがブルートゥース機能付き携帯電話装置を介して接続され、電話端末装置と、ブルートゥース機能付き携帯電話装置と、マイク付きヘッドセットとの間で音声信号を送受信することができるから、既存の電話会議システムを用いることなく、遠方加入者の電話端末装置と各マイク付きヘッドセットとの間にブルートゥース機能付き携帯電話装置を介しての電話会議システムを比較的簡易に構築することができる。
【００５１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、携帯電話機は、ＰＨＳ、ＰＤＡで構成し、マイク付きハンドセットは、近距離無線通信機能を有するその他の形式の端末装置で構成してもよい。
上述の実施例では、複数のマイク付きヘッドセット＃１乃至＃８から携帯電話装置１２への接続及び携帯電話装置１２から遠方加入者の電話機への接続について説明したが、複数のマイク付きヘッドセット＃１乃至＃８の一部又は全部と携帯電話装置１２との接続にも、また、携帯電話装置１２と遠方加入者の電話機との接続にも、この発明はなく、携帯電話装置１２を介しての遠方加入者の電話機と複数のマイク付きヘッドセット＃１乃至＃８との接続は、その他の各種接続態様で行うようにしてこの発明を実施することができる。
また、実施例においては、ブルートゥース機能付き携帯電話機の例について説明したが、その他の近距離無線通信機能を備えた携帯通信端末装置で実施し得る。
【図面の簡単な説明】
【００５２】
【図１】この発明の実施例である電話会議システムの電気的構成を示す図である。
【図２】同電話会議システムを構成する加算機能部の構成を示す図である。
【図３】同電話会議システムを構成する同報機能部の構成を示す図である。
【図４】同電話会議システムを構成するエコーキャンセラ機能部の構成を示す図である。
【符号の説明】
【００５３】
１      電話会議システム
１２      携帯電話機（近距離無線通信機能付き携帯通信端末装置）
２１      携帯電話機能部（第１の送信手段、第２の受信手段、受話手段）
２３      加算機能部（第２の混合手段）
２５      同報機能部（第１の混合手段の一部）
２７      コエーキャンセラ機能部（第２の混合手段の残部）
２８      マスタユニツト機能部（第１の受信手段の一部、第２の送信手段の一部）
２９      ブルートゥースインタフェース（第１の受信手段の残部、第２の送信手段の残部）
【図１】
2006270352.tif 000003
【図２】
2006270352.tif 000004
【図３】
2006270352.tif 000005
【図４】
2006270352.tif 000006